【事件の表示】
　平成　９年特許願第２４０４９１号「卓上カレンダー」拒絶査定不服審判事件〔平成１１年　３月　２日出願公開、特開平１１−　５９０１７〕について、次のとおり審決する。
【結　論】
　本件審判の請求は、成り立たない。
【理　由】
第１．手続の経緯
　本願は、平成９年８月２１日の出願であって、平成１４年９月３日付けで拒絶査定がなされ、これを不服として同年１０月１１日付けで特許法第１２１条第１項の規定に基づく審判請求がなされるとともに、同年１１月１１日付けで明細書についての手続補正（平成１４年改正前特許法１７条の２第１項３号の規定に基づく手続補正であり、以下「本件補正」という。）がされたものである。
　
第２．補正却下の決定
［補正却下の決定の結論］
　平成１４年１１月１１日付けの手続補正を却下する。
［理由］
１．補正後の本願発明
　本件補正により、特許請求の範囲の請求項１は「【請求項１】カード状に切り揃えられたカレンダー片を表示する枠体に透明プレートを取り付け、枠体と透明プレートとの間に名入れ片を挟持せしめた卓上カレンダーであって、前記枠体の背面に掛止孔を有する脚体が設けられており、前記透明プレートの背面側には名入れ片を収納するための凹陥部が設けられていることを特徴とする卓上カレンダー。」から、
「【請求項１】カード状に切り揃えられたカレンダー片を表示する枠体に透明プレートを取り付け、枠体と透明プレートとの間に名入れ片を挟持せしめた卓上カレンダーであって、前記枠体の背面の中央には、枠体の基板の一部を切り欠いて上下に配置された２個の脚体構成片を形成し、前記２個の脚体構成片のうち上に配置された脚体構成片の上部位置に掛止孔が穿設され、前記２個の脚体構成片を枠体の背面側に折り曲げて組立てることによって脚体を形成するように構成された脚体が設けられており、前期透明プレートの背面側には名入れ片を収納するための名入れ片と略等しい平面形状を有し、且つ名入れ片の厚みと略等しい深さに凹部を形成してなる凹陥部と、枠体の透明プレートの取付け箇所に穿設した孔に挿入して取り付けることのできるリブ付き突起を設け、更に枠体側には、透明プレートの取り付け位置と対応する位置に押さえ片が設けられていることを特徴とする卓上カレンダー。」と補正された。
　上記補正は、補正前の請求項１に記載した発明を特定する事項である「枠体に設ける脚体」について、願書に最初に添付した明細書（段落番号【００１３】、【００１４】）及び図面に記載した「枠体の背面の中央には、枠体の基板の一部を切り欠いて上下に配置された２個の脚体構成片を形成し、前記２個の脚体構成片のうち上に配置された脚体構成片の上部位置に掛止孔が穿設され、前記２個の脚体構成片を枠体の背面側に折り曲げて組立てることによって脚体を形成するように構成された」との限定を付加し、
　同じく「透明プレートの背面側」について、願書に最初に添付した明細書（段落番号【００１１】）及び図面に記載した「収納するための名入れ片と略等しい平面形状を有し、且つ名入れ片の厚みと略等しい深さに凹部を形成してなる凹陥部」との限定を付加し、
　同じく「枠体への透明プレートの取り付け」について、願書に最初に添付した明細書（段落番号【０００８】、【０００９】、【００１１】）及び図面に記載した「枠体の透明プレートの取付け箇所に穿設した孔に挿入して取り付けることのできるリブ付き突起を設け、更に枠体側には、透明プレートの取り付け位置と対応する位置に押さえ片が設けられている」との限定を付加したものであって、特許法第１７条の２第４項第２号の特許請求の範囲の減縮を目的するものに該当する。
　　
２．独立特許要件
　そこで、本件補正後の請求項１に係る発明（以下、「補正後の発明」という。）が特許出願の際独立して特許を受けることができるものであるか（特許法第１７条の２第５項において準用する同法第１２６条第４項の規定に適合するか）について以下に検討する。
　
（１）引用例記載の発明
　原査定の拒絶の理由に引用された登録実用新案第３０３５４５８号公報（以下、「引用例１」という。）には、補正後の発明に関連する事項として、以下の事項が記載されている。
　ア．「【請求項１】少なくとも表側の板が透明な表裏２枚の板を隙間をあけて平行に対応させ、該表裏２枚の板の裏側に折り畳み可能な支持部材を設けて該表裏２枚の板を斜めの姿勢で立てることができるようにするとともに、該表裏２枚の板の下方に綴り具を設けかつ上方に吊り下げ部材を設けて該表裏２枚の板を吊り下げることができるようにしたカレンダー保持具。．．．
【請求項４】カレンダーを前記表裏２枚の板の隙間に収容するようにした請求項１、２または３記載のカレンダー保持具。」（実用新案登録請求の範囲）
　イ．「【考案が解決しようとする課題】本考案が解決しようとする課題は、カレンダーを壁掛け式と机上用とに兼用することができる保持具を提供することである。」（【０００３】）
　ウ．「図１、図２において、１は透明な表板、２は裏板であって、一枚の合成樹脂製の薄板を上部で折り曲げて構成されており、下端縁に小さい隙間６を残して第１のスペーサ３と広告文字などを書いた第２のスペーサ４が挟み付けられ、表板１と裏板２の間に大きい隙間７が構成されているとともに、裏板２の背面には厚手の合成樹脂板からなる補強板５が上縁部を少し突出させて張り付けられていてその突出部にあけられた２個の孔８に紐９を通して壁面ａにさし込まれたフックｂに吊り下げるようになっており、この補強板５の背面には支持部材１７が切り込みにより一体に設けられ、表裏２枚の板１、２の下縁部には凸金具１０とこれに抜き差し自由に嵌合する凹金具１１からなる綴り具１２が２個取り付けられていて、この綴り具１２により、小さい隙間６に差し込まれたポケット１４を有する物入れ１３が着脱自由に吊り下げられ、大きい隙間７には多数枚のカレンダー１５が横方向から差し込まれるようになっている。」（【０００６】）
　エ．「図５〜８に示す使用例は、表裏２枚の板１、２の大きい隙間７にカレンダー１５を差し込み、補強板５の背面に切り込みにより形成された支持部材１７を起こして机上などに斜めに立てるようにしたものであって、２枚の支持片１８を縦に起こし、保持片１９を横に起こして支持片１８を固定するようになっている。」（【００１０】）
　オ．図７、８には、裏板の背面に、補強板５を張り付け、その背面中央に２枚の支持片１８と保持片１９が切り込みにより一体に設けられた支持部材１７を、背面側に起こして斜めに立てたものが図示されている。
　これらの記載ア．〜オ．によれば、引用例１には、次の発明（以下、「引用例１記載の発明」という。）が記載されているものと認められる。
「表側の板が透明な表裏２枚の板を隙間をあけて平行に対応させ、前記表裏２枚の板の隙間に多数枚のカレンダーが収容され、同じく表裏２枚の板の隙間に広告文字などを書いた第２のスペーサが挟み付けられ、裏板の背面には、補強板が張り付けられていて、この補強板の背面の中央に切り込みにより一体に設けられた支持片と保持片とからなる支持部材を形成し、該支持部材を背面側に起こして机上に斜めに立てることができるようにするとともに、上方に吊り下げ部材を設けて該表裏２枚の板を吊り下げることができるようにしたカレンダー保持具。」
　
　同じく原査定の拒絶の理由に引用された特開平３−９６９８６号公報（以下、「引用例２」という。）には、補正後の発明に関連する事項として、以下の事項が記載されている。
　カ．「【請求項１】文字が書き込まれるネームプレートと、このネームプレートが収められ外周に鍔が周設された前面が開口する箱状のボディと、上記ネームプレートを覆ってボディの開口に被着される透明材で形成された保護カバーと、上記ボディの鍔部に被着され保護カバーの外周を覆う枠状の化粧プレートとで構成され、上記被取付面への固定ねじを通す透孔をボディの鍔に穿孔し、化粧プレートの背面から係止爪片を突設すると共に、この係止爪片が嵌合する嵌合孔をボディの鍔に穿孔して成る表札。」（【特許請求の範囲】）
　キ．「保護カバー３は透明材で形成され、第５図に示すように背面が開口する偏平箱状に形成してあり、ボディ２の鍔２１上に被着して取り付けられる。そして、この保護カバー３の両側壁の中央部及び上側壁は第５図(b)に示すように背方に突出してあり、こられ突出する側壁部３４，３５は凹所２２内に嵌まり込むようにしてあり、これら側壁部３４，３５間にネームプレート１を挟んで保持するようにしてある。」（第３頁左下欄２〜１０行）
　ク．「上記背方に突出した両側壁部３４の後端部には、この保護カバー３をボディ２に固定する取付片３０1　，３０２を外側方に延出して形成してあり．．．この保護カバー３のボディ２への固定は、取付片３０1　，３０2に形成された挿通孔３１を通して固定ねじ６０をボディ２の凹部２２a　,　２２bに穿孔されたねじ孔２８に螺合することで行う。化粧プレート４は、保護カバー３の外周に嵌まる矩形枠状で、第６図(d)に示すように、背面の４箇所から背方に先端部に爪を有する係止爪片４１が突設され、この係止爪片４１をボディ２の鍔２１に形成された嵌合孔２６に嵌合して、ボディ２１に取り付けられる。従って、化粧プレート４を所謂スナップイン式でボディ２にねじ無しで簡単に取り付けることができる。」（第３頁左下欄最下行〜第４頁左上欄１行）
　同じく原査定の拒絶の理由に引用された実願昭６１−６５０８６号（実開昭６２−１７８１７６号）のマイクロフィルム（以下、「引用例３」という。）には、補正後の発明に関連する事項として、以下の事項が記載されている。
　ケ．「カレンダー紙葉を把持する透明プラスチックス製のケース部材と、そのケース部材の背面に着脱可能な支持部材とを備え、前記ケース部材は前板と、その前板の上下両端より背面側に折り曲げられて背面の上下両端縁部を被う縁片とを備えており、前記支持部材は、折線を介して折り曲げ連設された長板と短板とにより垂直断面が略Ｌ字状をなし、かつその長板に壁掛け用の掛止孔を有しており、前記支持部材の端部を前記縁片近傍に着脱可能に止着する手段を備えていることを特徴とするカレンダーホルダー。」（実用新案登録請求の範囲）
　コ．「支持部材は、折線を介して折り曲げ連設された長板と短板とにより垂直断面が略Ｌ字状をなすようにし、かつその長板に壁掛け用の掛止孔を設け、支持部材の端部を縁片近傍に着脱可能に止着する手段を設けたことにより、壁掛けカレンダー用のホルダーとしても卓上カレンダー用のホルダーとしても使用できる。」（明細書第８頁８〜１４行）
  　
　（２）補正後の発明と引用例１記載の発明との対比
　引用例１記載の発明の「広告文字などを書いた第２のスペーサ」、「隙間に挟み付け」、「多数枚のカレンダー及び収容したカレンダーを斜めの姿勢で立てることができるようにしたカレンダー保持具」は、
　補正後の発明の「名入れ片」、「間に挟持」、「卓上カレンダー」に相当し、
　引用例１記載の発明の「多数枚のカレンダー」は、図３によればカード状に切り揃えられているから、補正後の発明の「カード状に切り揃えられたカレンダー片」に相当する。
　引用例１記載の発明の 「表裏２枚の板」は、カード状に切り揃えられたカレンダー片を表示するものであるから、補正後の発明の「枠体」と、「カレンダー片の表示具」である点で共通する。
　引用例１記載の発明の「補強板の背面」は、カレンダー片の表示具の背面でもある。
　引用例１記載の発明の「支持部材」は、背面側に起こしてカレンダー片の表示具を机上に斜めに立てることができるようにするものであるから、補正後の発明の背面側に折り曲げて組立てることによってカレンダー片の表示具を机上に立たせるための「脚体構成片」に相当し、それらを組み立てたものが「脚体」に相当する。
　引用例１記載の発明の支持部材を構成するのは、２枚の支持片１８と１枚の保持片１９の計３個であるから、補正後の発明の「２個の脚体構成片」と「複数の脚体構成片」である点で共通する。
　以上であるから、補正後の発明と引用例１記載の発明とは、
以下の点で一致ないし相違する。
［一致点］
「カード状に切り揃えられたカレンダー片を表示するカレンダー片の表示具に名入れ片を挟持せしめた卓上カレンダーであって、表示具の背面の中央には、複数の脚体構成片を形成し、脚体構成片を表示具の背面側に折り曲げて組立てることによって脚体を形成するように構成された脚体が設けられている卓上カレンダー。」
［相違点］
相違点１
　カレンダー片の表示具が、補正後の発明では、枠体であるのに対して、引用例１記載の発明では、表側の板が透明な表裏２枚の板を隙間をあけて平行に対応させたものである点。
相違点２
　名入れ片の挟持が、補正後の発明では、枠体に、背面側に名入れ片を収納するための名入れ片と略等しい平面形状を有し、且つ名入れ片の厚みと略等しい深さに凹部を形成してなる凹陥部と、枠体の透明プレートの取付け箇所に穿設した孔に挿入して取り付けることのできるリブ付き突起を設けた透明プレートを取り付け、枠体側には、透明プレートの取り付け位置と対応する位置に押さえ片を設け、枠体と透明プレートとの間に前記名入れ片を挟持せしめて行われるのに対して、引用例１記載の発明では、表側の板が透明な表裏２枚の板の間に名入れ片を挟持せしめて行われ、透明プレートや押さえ片を有しない点。
相違点３
　脚体構成片が、補正後の発明では、枠体の基板の一部を切り欠いて上下に配置された２個の脚体構成片からなり、２個の脚体構成片のうち上に配置された脚体構成片の上部位置に掛止孔が穿設されているのに対し、引用例１記載の発明では、裏板の背面に張り付けられた補強板の背面に切り込みにより一体に設けられた２枚の支持片１８、保持片１９からなり、吊り下げ部材は、表裏２枚の板の上方に設けられており、脚体構成片とは別に形成されている点。
　
（３）判断
　相違点１について検討する。
　脚体が設けられている卓上カレンダーにおいて、カレンダー片の表示具を枠体とすることは従来から周知であり（登録実用新案第３０２４７７３号公報、実開平５−８８９７８号公報、特開平９−３９４３８号公報参照）、引用例１記載の発明のカレンダー保持具を枠体とすることは、当業者にとって想到容易である。
　相違点２について検討する。
　相違点１において検討したように、カレンダー片の表示具を枠体とすることは当業者にとって想到容易であるが、その場合、引用例１記載の発明において、裏板との間で名入れ片を挟持していた透明な表板は存在しなくなる。　しかしながら、引用例２には、名入れ部材（ネームプレート１が相当）を枠体（ボディ２が相当）と枠体の表側に取り付けた透明部材（保護カバー３が相当）との間に狭持せしめる点が記載されており、透明部材は背面が開口する偏平箱状であり、その背面の凹陥部に名入れ部材が収納され、そこに収納する名入れ部材を透視可能な状態で保護している。したがって、名入れ片を枠体と枠体に取り付けた背面側に名入れ片を収納するための凹陥部を形成してなる透明プレートとの間で挟持させることは当業者が容易に考え付くことである。そして、凹陥部に名入れ片と略等しい平面形状を有し且つ名入れ片の厚みと略等しい深さに凹部を形成することは、そこに収容される名入れ部材が薄い名入れ片であることに伴い、名入れ片が斜めになることや間からズレ落ちることを防ぐために当業者が適宜なす設計事項にすぎない。
　また、透明プレートの背面側に、枠体の透明プレートの取付け箇所に穿設した孔に挿入して取り付けることのできるリブ付き突起を設け、更に枠体に、透明プレートの取り付け位置と対応する位置に押さえ片を設けた点は、以下の理由で枠体に透明プレートを取り付けることに伴い当業者が適宜採用する付随的な構成にすぎない。
　上記引用例２には、透明部材（保護カバー３）を、その外側方に延出して形成された取付片３０１　,３０２　に形成された挿通孔３１を通して固定ねじ６０をボディ２の凹部２２a ,２２bに穿孔されたねじ孔２８に螺合することで、ボディ２へ固定する点も記載されている。そして、部材を本体に取り付ける場合、両者に形成された孔に固定ねじを挿通してなすか、部材に突起を設け本体に穿設した孔に挿入してなすかは適宜選択する設計事項にすぎず（引用例２においても化粧プレート４は、背面に係止爪片４１を突設し、この係止爪片４１をボディ２に形成された嵌合孔２６に嵌合して、所謂スナップイン式でボディ２１に取り付けられる。）、突起にリブを付け、孔にストレート嵌合するようにすることも従来から慣用手段である。また、名入れ片のズレをより効果的に防ぐように枠体に、透明プレートの取り付け位置と対応する位置に押さえ片を設けた点は、枠体の保持枠２ｂの巾等に応じて当業者が適宜なしうる程度のことにすぎない。                                以上のとおりであるから、引用例２に記載された技術を引用例１記載の発明に適用して相違点２に係る補正後の発明のように構成することは、当業者であれば想到容易であり、しかも、その適用による効果も予測の範囲を超えるものではない。
上記相違点３について検討する。           、
　引用例１記載の発明では、裏板の背面に補強板が張り付けられているから、補強板に脚体構成片を形成しているが、補強板を張り付けない場合には、表示具の背面になる裏板に脚体構成片が形成されることが明白である。そして、引用例１記載の発明の「裏板」は、補正後の発明の枠体の「基板」に相当するから、補正後の発明において、枠体の基板に脚体構成片を形成した点は、必要に応じ当業者が適宜なす設計事項にすぎない。
　表示具を斜めの姿勢で立てるため基板の一部を切り欠いて（切り込みにより）形成する脚体には、引用例１記載の発明の２枚の支持片と１枚の保持片からなる脚体以外にも種々の個数の脚体構成片を種々に配置してなるものが周知である（上記登録実用新案第３０２４７７３号公報参照）から、脚体構成片を何個にし、どのように配置するかは基板を切り欠いて脚体を形成するにあたり当業者が適宜選択する事項にすぎず、２個の脚体構成片を上下に配置したものも上記特開平９−３９４３８号公報にみられる。
　引用例３には、使用方法を変えるだけで卓上カレンダーとしても壁掛け用のカレンダーとしても使用できるようにすることを目的とし、短板２１と長板２０を有する脚体（支持部材２が相当）であって、その長板に掛止孔２７が穿設されたものを枠体（ケース部材１が相当）の背面に取り付けるカレンダーホルダーが記載されている。以上のごとく引用例３には掛止孔を脚体に穿設することが記載されており、引用例３に接した当業者は、引用例１記載の発明における脚体と別に設けた吊り下げ部材に代えて脚体に吊り下げ用の掛止孔を設けることは容易に考え付くことである。
　引用例１記載の発明の脚体に掛止孔を設けるにあたり、どこに配置された脚体構成片に設けるかは、脚体構成片の個数や配置を考慮した上で適宜決める単なる設計事項にすぎない。そして、吊り下げ孔は吊り下げる表示具の上端部に設けることが収まりがよく一般的である（引用例１記載の発明の孔８上記実開平５−８８９７８号公報の吊下用の孔５１）ことを勘案すると、２個の脚体構成片を上下に配置したものにおいては、上に配置された構成片の上部位置に設けることが普通に考えられる。
　なお、上記周知技術として引用した上下に配置された２個の脚体構成片からなる脚体が記載された特開平９−３９４３８号公報における上に配置された構成片脚体には、組立て用に設けた孔があり、該孔は卓上用としない場合は使用されないから、吊り下げる場合に掛止孔として用いることも可能である。
　以上のとおりであるから、引用例３に記載された技術及び従来周知の事項を引用例１記載の発明に適用して相違点３に係る補正後の発明のように脚体構成片を枠体の基板の一部を切り欠いて上下に配置された２個の脚体構成片からなり、２個の脚体構成片のうち上に配置された脚体構成片の上部位置に掛止孔が穿設された構成にすることは、当業者であれば想到容易であり、しかも、その適用による効果も予測の範囲を超えるものではない。
　
　また、補正後の発明を全体として検討しても、引用例１ないし３に記載の発明および従来周知の事項から予測される以上の効果を奏するとは認められない。
　したがって、補正後の発明は引用例１ないし３記載の発明および従来周知の事項に基づいて容易に発明できたものであり、特許法第２９条第２項の規定により、特許出願の際独立して特許を受けることができないものである。
３．むすび
　以上のとおり、本件補正は、平成１５年改正前の特許法法第１７条の２第５項の規定により準用する同法第１２６条第４項の規定に違反するものであり、特許法第１５９条第１項において読み替えて準用する同法第５３条第１項の規定により却下すべきものである。
　
第３．本願発明について
１．本願発明
　平成１４年７月４日付けの手続補正は上記のとおり却下されたので、本願の請求項１に係る発明（以下、「本願発明」という。）は、願書に最初に添付された明細書の特許請求の範囲の請求項１に記載された事項により特定される、以下のとおりのものと認める。
「【請求項１】カード状に切り揃えられたカレンダー片を表示する枠体に透明プレートを取り付け、枠体と透明プレートとの間に名入れ片を挟持せしめた卓上カレンダーであって、前記枠体の背面に掛止孔を有する脚体が設けられており、前記透明プレートの背面側には名入れ片を収納するための凹陥部が設けられていることを特徴とする卓上カレンダー。」
　
２．引用例１記載の発明
　これに対する引用例１記載の発明は、上記「第２．補正却下の決定２．独立特許要件（１）引用例１記載の発明」の項で認定したとおりである。
　
３．本願発明と引用例１記載の発明との対比・判断
　本願発明は、前記「第２．補正却下の決定１．補正後の本願発明」で検討した補正後の発明から「脚体」の限定事項である枠体の背面の「中央には、枠体の基板の一部を切り欠いて上下に配置された２個の脚体構成片を形成し、２個の脚体構成片を枠体の背面側に折り曲げて組立てることによって脚体を形成するように構成された」構成、「掛止孔」の限定事項である「２個の脚体構成片のうち上に配置された脚体構成片の上部位置に穿設され」た構成、「凹陥部」の限定事項である「名入れ片と略等しい平面形状を有し、且つ名入れ片の厚みと略等しい深さに凹部を形成してなる」構成、「透明プレートと枠体の取付箇所」の限定事項である透明プレートの背面側には「枠体の透明プレートの取付け箇所に穿設した孔に挿入して取り付けることのできるリブ付き突起を設け」た構成と枠体側には「透明プレートの取り付け位置と対応する位置に押さえ片が設けられている」構成をそれぞれ省いたものである。
　そうすると、本願発明を特定する事項を全て含み、さらに他の発明を特定する事項を付加したものに相当する補正後の発明が、前記「第２．補正却下の決定２．独立特許要件（３）判断」に記載したとおり、引用例１ないし３記載の発明および従来周知の事項に基づいて、当業者が容易に発明をすることができたものであるから、本願発明も、同様の理由により、引用例１ないし３記載の発明および従来周知の事項に基づいて、当業者が容易に発明をすることができたものである。
　
４．むすび
　以上のとおり、本願発明は、引用例１ないし３記載の発明および従来周知の事項に基づいて、当業者が容易に発明をすることができたものであるので、特許法第２９条第２項の規定により特許を受けることができない。
　よって、結論のとおり審決する。